(57)【要約】【課題】より小型な分析システムが構築できるようにする。【解決手段】シリコン細線コア１０５の形成領域を囲うように、周囲電極１１３を設け、試料がシリコン細線コア１０５及び周囲電極１１３の両方に接触した状態で、シリコン細線コア１０５側を接地電位とし、周囲電極１１３にプラス電位を印加することで、試料となる溶液中の成分を電気泳動により分離し、シリコン細線コア１０５の領域における分析対象物質の濃度を高くする。【選択図】  図１
2005077315.tif 000002
【特許請求の範囲】
【請求項１】
下部クラッド層と、
この下部クラッド層の上に形成されて少なくとも一部の面が露出した半導体からなるコアと、
このコアから構成された導波路の光入射端と、
前記導波路の光出射端と、
前記コアの配設された領域と所定距離離間して設けられた周囲電極と、
前記コアと前記周囲電極との間に電位を印加するための電位印加手段と
を少なくとも備え、
前記導波路は、シングルモード導波路であり、
前記コアの露出した面と前記周囲電極とに分析対象物が接触する
ことを特徴とする光導波路型センサ。
【請求項２】
請求項１記載の光導波路型センサにおいて、
前記コアの露出した面に形成された酸化膜
を備えることを特徴とする光導波路型センサ。
【請求項３】
請求項１または２記載の光導波路型センサにおいて、
前記周囲電極は、前記コアの配設された領域の周囲を囲うように設けられた
ことを特徴とする光導波路型センサ。
【請求項４】
請求項１〜３のいずれか１項に記載の光導波路型センサにおいて、
前記コア及び周囲電極は、同一の材料から構成されたものである
ことを特徴とする光導波路型センサ。
【請求項５】
請求項４記載の光導波路型センサにおいて、
前記周囲電極の露出した面に形成された酸化膜
を備えることを特徴とする光導波路型センサ。
【請求項６】
請求項１〜３のいずれか１項に記載の光導波路型センサにおいて、
前記周囲電極は、金属から構成されたものである
ことを特徴とする光導波路型センサ。
【請求項７】
請求項１〜６のいずれか１項に記載の光導波路型センサにおいて、
前記電位印加手段は、前記コアに直接接触する前記コアと同一材料からなる電圧印加部と、
この電圧印加部にオーミック接続する金属配線と
から構成されたものであることを特徴とする光導波路型センサ。
【発明の詳細な説明】
【技術分野】
【０００１】
本発明は、屈折率の異なる界面で光が全反射するときにしみ出すエバネッセント光を利用した光吸収分光による分析に用いる光導波路型センサに関する。
【背景技術】
【０００２】
物質の特性を知る分析法に、物質の赤外スペクトルを測定する赤外分光法がある。赤外分光法の一つに、ＺｎＳｅなどのＡＴＲ（Attenuated Total Reflection）結晶プリズムを用いた全反射吸収スペクトル法（ＡＴＲ法）がある。ＡＴＲ法は、赤外線がＡＴＲ結晶プリズムの中を全反射する際に、試料が接しているプリズムの外側にわずかにしみ出す光（エバネッセント光）を利用するものであり、固体試料の表面や水溶液試料中の成分を高感度に分析することを可能としている。
【０００３】
上述したＡＴＲ法による分析では、より感度を向上させるために、プリズムの中で多数回の全反射が生じるように構成している（非特許文献１参照）。また、ＡＴＲ法により、採血やセンサを埋め込むことなどを必要とせずに、人体の血中のグルコースの濃度を簡便に測定する分析システムなども開発されている（特許文献１参照）。
【０００４】
なお、出願人は、本明細書に記載した先行技術文献情報で特定される先行技術文献以外には、本発明に関連する先行技術文献を出願時までに発見するには至らなかった。
【特許文献１】特公表２００２−５２７１３６号公報
【非特許文献１】実用分光法シリーズ（４）分光学の医学応用，１９９９年９月３０日発行、（株）アイピーシー
【発明の開示】
【発明が解決しようとする課題】
【０００５】
しかしながら、従来のＡＴＲ法による分析では、ＡＴＲ結晶プリズムを小型化することが容易ではなく、分析システム（装置）の小型化が困難であった。
本発明は、以上のような問題点を解消するためになされたものであり、より小型な分析システムが構築できるようにすることを目的とする。
【課題を解決するための手段】
【０００６】
本発明に係る光導波路型センサは、下部クラッド層と、この下部クラッド層の上に形成されて少なくとも一部の面が露出した半導体からなるコアと、このコアから構成された導波路の光入射端と、導波路の光出射端と、コアの配設された領域と所定距離離間して設けられた周囲電極と、コアと周囲電極との間に電位を印加するための電位印加手段とを少なくとも備え、導波路は、シングルモード導波路であり、コアの露出した面と周囲電極とに分析対象物が接触するものである。
このセンサでは、コアと周囲電極との間に電位を印加すると、コア及び周囲電極の両方に接触している分析対象に電位が印加された状態となる。
【０００７】
上記光導波路型センサにおいて、コアの露出した面に形成された酸化膜を備えることで、試料となる液体が接触したときに、この液体とコアとの良好な密着性を得ることができる。また、上記光導波路型センサにおいて、周囲電極を、コアの配設された領域の周囲を囲うように設けるようにしてもよい。また、コアと周囲電極とは、例えば半導体であるシリコンなどの同一材料から構成してもよく、周囲電極は金属から構成してもよい。周囲電極をシリコンから構成する場合、周囲電極の露出した面に酸化膜を形成することで、試料となる液体と周囲電極との良好な密着性を得ることができる。
【０００８】
また、上記光導波路型センサにおいて、電位印加手段は、コアに直接接触するコアと同一材料からなる電圧印加部と、この電圧印加部にオーミック接続する金属配線とから構成することができる。
【発明の効果】
【０００９】
以上説明したように、本発明では、下部クラッド層の上に半導体からなるコアを形成し、このコアよりシングルモード導波路を構成し、これらの一部において少なくともコアの上面を露出させ、ここに分析対象物を接触させることで、分析対象物における赤外線の吸収などを検出する分光法による分析を可能とした。従って、本発明によれば、従来のＡＴＲ法における結晶プリズムに代えて、シングルモード導波路を用いることによって、分析システムの小型化を図ることができる。また、小さな曲げ半径で導波方向が変更できる導波路で検出領域が構成できるので、感度を向上させることができるだけの長い導波路を小さな検出領域に配置できるようになる。このように、本発明によれば、感度を低下させることが無く、より小型な分析システムが構築できるようになるという優れた効果が得られる。
【００１０】
また、本発明では、分析対象物に接触する周囲電極を設け、周囲電極とコアとの間に電位を印加することで、印加した電位を分析対象物に作用させることを可能とした。このことにより、分析対象物の液体中の成分を、電気泳動により分離し、コアの近辺における成分濃度をより高くすることが可能となり、分析感度を向上させることができる。
【発明を実施するための最良の形態】
【００１１】
以下、本発明の実施の形態について図を参照して説明する。
図１は、本発明の実施の形態における光導波路型センサの構成例を示す平面図である。
このセンサの構成について説明すると、まず、入射側の光ファイバー２００の端部が固定されるＶ字状の溝１０１、出射側の光ファイバー３００の端部が固定されるＶ字状の溝１０２が設けられている。溝１０１，１０２は、一般に市販されているＳＯＩ基板の基板部１１１に形成されている。
【００１２】
これら溝１０１，１０２に続いてスポットサイズ変換領域が配置され、スポットサイズ変換領域には、入射側に配置されたスポットサイズ変換コア１０３と、出射側に配置されたスポットサイズ変換コア１０４とを備えている。これらは、酸化シリコンからなる上部クラッド層１０７に覆われている。スポットサイズ変換コア１０３，１０４は、例えば、シリコン酸窒化物から構成されている。スポットサイズ変換コア１０３には、光ファイバー２００の光ファイバーコア２０１が接続し、スポットサイズ変換コア１０４には、光ファイバー３００の光ファイバーコア３０１が接続している。
【００１３】
スポットサイズ変換領域に続いて検出領域が設けられ、検出領域には、半導体であるシリコンから構成されたシリコン細線コア１０５が形成されている。この領域においては、以降に説明する埋め込み酸化層１１２を下部クラッド層としたシリコン細線コア１０５による導波路が構成されている。また、検出領域の周辺部には、シリコン細線コア１０５の形成領域を囲うように、シリコンからなる周囲電極１１３が設けられている。シリコン細線コア１０５は、断面の寸法が約１μｍ角程度となっている。図２の断面図に示すように、シリコン細線コア１０５及び周囲電極１１３は、検出領域において、ＳＯＩ基板の埋め込み酸化層１１２の上に配置されている。なお、図２は、図１のＡＡ’断面である。
【００１４】
検出領域において、シリコン細線コア１０５の基板部１１１側の下面は、酸化シリコンである埋め込み酸化層１１２に覆われ、上面及び両側面は露出した状態の導波路となっている。なお、シリコン細線コア１０５の露出している面に、数ｎｍから数１０ｎｍ程度の酸化膜が形成されていてもよい。上述したように、シリコン細線コア１０５は、断面寸法が１μｍ角程度としてあるので、上記導波路は、波長４μｍ以下の光がシングルモードで伝搬する。言い換えると、シリコン細線コア１０５は、これより構成される導波路が、シングルモードとなる寸法に形成されていればよい。例えば、波長１．５μｍの光をシングルモードとする場合、コアの断面寸法は、０．３μｍ角程度とすればよい。
【００１５】
図１に示す光導波路型センサでは、入射側の光ファイバー２００に光源を接続し、出射側の光ファイバー３００に分光器を接続することで、分光測定のシステムが構成できる。なお、図１では、光の入射端と出射端とを各々設けるようにしているが、これらを同一とした閉回路としてもよい。
【００１６】
このようなシステムにおいて、シリコン細線コア１０５よりなる導波路に赤外線を導波させた状態で、検出領域で露出するシリコン細線コア１０５の上面に分析対象の試料が接触していると、シリコン細線コア１０５よりしみ出した光が、試料の特性に応じて吸収されるため、この吸収の強さに応じて導波する光の強度が低下する。従って、例えば、シリコン細線コア１０５から構成されている導波路を導波する光の強度をある波長帯域に対して測定すれば、分析対象の試料による吸収スペクトルが得られる。
【００１７】
また、この導波路は、最小曲げ半径が約１５μｍ以下と、非常に小さい曲率で導波方向を変更することが可能である。従って、図１の平面図に示すように、シリコン細線コア１０５を、狭い間隔で往復させて配置させることが可能となり、狭い検出領域内で、試料と接触する領域をより長くすることが可能となる。
【００１８】
シリコン細線コア１０５は、ＳＯＩ構造の基板のシリコン層を加工することで形成されている。シリコン層は、ＳＯＩ構造の基板の最上層に配置され、基板部１１１の上の埋め込み酸化層１１２の上に形成されている。シリコン層に、コアとなる領域を挟むように埋め込み酸化層１１２にまで貫通する溝を形成することで、図２の断面図に示すように、シリコン細線コア１０５が形成できる。なお、図２は、図１のＡＡ’断面を示している。
【００１９】
また、図１に示す導波路型センサでは、図３，４，５，６の断面図にも示すように、まず、金属材料から構成された電位均一化配線１０６，シリコンからなるコア電圧印加部（電圧印加部）１２１からなる電位印加手段を設け、シリコン細線コア１０５と周囲電極１１３との間に電位を印加することを可能としている。電位印加配線１０６とコア電圧印加部１２１とは、オーミック接続している。電位均一化配線１０６には端子１０８が接続し、周囲電極１１３には端子１１４が接続している。コア電圧印加部１２１は、シリコン細線コア１０５への光閉じ込め効果を大きくするため、シリコン細線コア１０５より薄く形成し、シリコン細線コア１０５に対する有効屈折率を小さくする。なお、図３，４，５，６は、各々、図１のＢＢ’，ＣＣ’，ＤＤ’ＥＥ’断面を示している。
【００２０】
コア電圧印加部１２１は、シリコン細線コア１０５に接触して設けられている。図１に示す光導波路型センサでは、複数のコア電圧印加部１２１が設けられている。複数のコア電圧印加部１２１は、電位均一化配線１０６を介して端子１０８に接続している。これらは、スポットサイズ変換領域に配置され、電位均一化配線１０６は、上部クラッド層１０７に覆われている。なお、一部のコア電圧印加部１２１が、検出領域からスポットサイズ変換領域にわたって配設されている。
【００２１】
一方、周囲電極１１３は、両端がスポットサイズ変換領域にまで延在し、スポットサイズ変換領域の部分は、上部クラッド層１０７に覆われている。また、周囲電極１１３の上部クラッド層１０７に覆われている一部は、図５にも示すように、上部クラッド層１０７の上に設けられた端子１１４に接続している。この周囲電極１１３には、高濃度に不純物が導入され、これの所定領域に設けられた接続部分にオーミック接続する金属層１１３ａが形成され、金属層１１３ａに端子１１４が接続されている。
【００２２】
これらの構成により、シリコン細線コア１０５と周囲電極１１３との間に電位を印加することを可能とし、検出領域に接触する試料溶液中において、シリコン細線コア１０５と周囲電極１１３との間で、電気泳動を起こさせることを可能としている。なお、周囲電極１１３は、コの字状に検出領域のシリコン細線コア１０５を覆う必要はなく、検出領域においてシリコン細線コア１０５の周囲に配置されているようにすればよい。
【００２３】
また、スポットサイズ変換領域において、シリコン細線コア１０５の両端は、先端に行くほど幅が狭くなる先細りの形状となり、図５，７の断面図にも示すように、上部及び側部をスポットサイズ変換コア１０３，１０４に覆われ、この領域がスポットサイズ変換部となる。スポットサイズ変換コア１０３，１０４は、高さ，幅が、光ファイバーコア２０１，３０１の半分程度からほぼ同程度までの寸法となっている。図７は、図１のＦＦ’断面である。
【００２４】
スポットサイズ変換領域においては、「シリコン細線コア１０５の屈折率＞スポットサイズ変換コア１０３，１０４の屈折率＞上部クラッド層１０７の屈折率」となっている。このように構成したスポットサイズ変換領域により、光ファイバー２００を導波してきた赤外線を、損失を低減した状態でスポットサイズを変換し、シリコン細線コア１０５の一端に結合させることを可能としている。
また、光ファイバー２００、３００の端部が固定される領域では、図８の断面図に示すように、基板部１１１に設けられたＶ字状の溝１０１，１０２に、例えば紫外線硬化型の接着剤などにより固定されている。図８は、図１のＧＧ’断面を示している。
【００２５】
なお、シリコン細線コア１０５，周囲電極１１３，及びコア電圧印加部１２１の露出する領域には、膜厚が数ｎｍの酸化膜を設けるようにしてもよい。この酸化膜は、例えば熱酸化法により形成すればよい。酸化膜を形成しておくことで、コアなどの表面を保護するとともに、表面を親水性として分析対象の溶液などとの良好な密着性を得ることが可能となる。酸化膜（ＳｉＯ2膜）は、シリコンより屈折率が小さいため、シリコン細線コア１０５による導波路としての機能を阻害することがない。
【００２６】
また、例えば、界面活性剤などを用いることにより、シリコン細線コア１０５の表面を界面活性の高い状態とすることで、分析対象の溶液などとの良好な密着性を得るようにしてもよい。また、シリコン細線コア１０５の表面に、酸化チタンなどの超親水性薄膜（膜厚１０ｎｍ以下）を形成するようにしてもよい。このことにより、親水性が高い状態が得られるととともに、より低い電圧で電気泳動現象を誘起できるようになる。
【００２７】
次に、上述した光導波路型センサの製造方法について、簡単に説明する。
まず、ＳＯＩ（Silicon on Insulator）基板を用意する。ＳＯＩ基板は、埋め込み絶縁層（埋め込み酸化層）の上のシリコン層（単結晶シリコン層）が、高抵抗ｐ形あるいは高抵抗ｎ形であればよい。また、シリコン層は、所望の厚さより薄い高抵抗ｐ形の単結晶シリコン層の上に、ノンドープの単結晶シリコンを結晶成長させて所望の厚さとしたものでもよい。同様に、シリコン層は、所望の厚さより薄い高抵抗ｎ形の単結晶シリコン層の上に、ノンドープの単結晶シリコンを結晶成長させて所望の厚さとしたものでもよい。
【００２８】
上述したようなＳＯＩ基板を用意したら、シリコン層を、公知のリソグラフィ技術とエッチング技術とにより微細加工し、シリコン細線コア１０５及び周囲電極１１３となるパターンを、厚さ方向に途中まで形成する。エッチングを途中で停止することで、上記パターンを途中まで形成した後、上記パターンを形成するためのマスクパターンに加え、新たに、コア電圧印加部１２１を形成するためのマスクパターンを、途中までエッチングされたシリコン層の上に形成する。
【００２９】
この後、すでに形成されているマスクパターンと新たに形成したマスクパターンとをマスクとし、残っているシリコン層を選択的にエッグすることで、図９の平面図に示すように、埋め込み酸化層１１２の上に、シリコン細線コア１０５，周囲電極１１３及びコア電圧印加部１２１を形成する。スポットサイズ変換領域では、シリコン細線コア１０５の先端部分の先細りとなるようにする。また、光ファイバー２００、３００が固定されるファイバー固定領域では、シリコン層を除去して埋め込み酸化層１１２を露出させる。
【００３０】
ここで、形成したシリコンのパターンの露出面に、例えば熱酸化法により、数ｎｍ程度の膜厚の酸化膜を形成するようにしてもよい。
次に、図９の点線で囲う領域９０１と周囲電極１１３とに、選択的にイオン注入し、コア電圧印加部１２１の一部には、高濃度不純物領域を形成し、周囲電極１１３には高い導電性を与える。上記シリコン層がｎ形のときは、リンあるいはヒ素を不純物としてイオン注入し、シリコン層がｐ形のときは、ホウ素を不純物としてイオン注入すればよい。イオン注入をした後、例えば９００℃程度に加熱し、イオン注入した領域の活性化と損傷の回復とを行う。
【００３１】
次いで、ＥＣＲプラズマＣＶＤ法によるステンシルマスクを用いた選択的な堆積により、スポットサイズ変換領域におけるシリコン細線コア１０５を覆うシリコン酸窒化膜を形成する。このシリコン酸窒化膜を、公知のリソグラフィ技術とエッチング技術とにより微細加工し、図１０の平面図に示すように、スポットサイズ変換コア１０３，１０４を形成する。
【００３２】
さらに、蒸着法あるいはスパッタ法によるステンシルマスクを用いた選択的な堆積により、例えばアルミニウムなどの金属材料の膜を形成し、電位均一化配線１０６を形成し、同時に、周囲電極１１３の所定箇所に金属層１１３ａを形成する。前述したように、図９に示した領域９０１においては、ｎ形もしくはｐ形の不純物が高濃度に添加されているので、領域９０１においてコア電圧印加部１２１と電位均一化配線１０６とは、オーミックコンタクトが形成される。
【００３３】
同様に、ｎ形もしくはｐ形の不純物が高濃度に添加されている周囲電極１１３に形成された金属層１１３も、周囲電極１１３との接触部分は、オーミックコンタクトが形成される。なお、周囲電極１１３の全域に不純物を高濃度に添加する必要はなく、金属層１１３ａを形成する領域に高濃度に不純物を導入するようにしてもよい。ただし、周囲電極１１３の全域に不純物を高濃度に添加することで、周囲電極１１３における導電性をより高くすることができ、より低い電圧で電気泳動現象を誘起できるようになる。
【００３４】
次に、図１１に示すように、スポットサイズ変換領域において、スポットサイズ変換コア１０３，１０４，及び電位均一化配線１０６を覆うように、上部クラッド層１０７となるシリコン酸化膜を選択的に形成する。このシリコン酸化膜の形成も、ＥＣＲプラズマＣＶＤ法によるステンシルマスクを用いた選択的な堆積により行う。
【００３５】
次いで、公知のリソグラフィ技術とエッチング技術とにより、上部クラッド層１０７の所定領域に開口部を形成し、電位均一化配線１０６に到達する貫通孔１１０１と金属層１１３ａに到達する貫通孔１１０２を形成する。この後、貫通孔１１０１を介して電位均一化配線１０６に接続する金属の層を形成することで端子１０８を形成し、貫通孔１１０２を介して金属層１１３ａに接続する金属の層を形成することで端子１１４を形成する。
【００３６】
次に、検出領域及びスポットサイズ変換領域を覆うマスクパターンを形成し、このマスクパターンをマスクとしたエッチングを行い、スポットサイズ変換領域の垂直な入射端面及び出射端面を形成し、また、ファイバー固定領域の埋め込み酸化層１１２を選択的に除去する。このエッチングでは、例えばリアクティブイオンエッチングなど、垂直異方性を有するドライエッチング技術を用いればよい。
【００３７】
最後に、ファイバー固定領域において、露出している基板部１１１の所定領域に、Ｖ字状の溝１０１，１０２を形成する。これらの溝は、例えば、開口部の間隔を徐々に広げた複数のマスクパターンによる選択的なエッチングを、繰り返すことで形成できる。また、基板部１１１として（１１１）面の単結晶シリコンを用いれば、水酸化カリウムなどのアルカリ溶液によるウエットエッチングで、自動的にＶ字状の溝が形成できる。
【００３８】
以上に説明した光導波路型センサによる分析方法の一例について、簡単に説明する。本センサによる分析では、図１２に示すように、試料となる溶液を滴下して検出領域に試料の溶液が保持され、試料がシリコン細線コア１０５及び周囲電極１１３の両方に接触した状態とする。この状態で、シリコン細線コア１０５側を接地電位とし、周囲電極１１３にプラス電位を印加することで、図１２に示すように、試料となる溶液中の成分を電気泳動により分離し、シリコン細線コア１０５の領域における分析対象物質の濃度を高くすることが可能となる。
【００３９】
例えば、シリコン細線コア１０５の近傍における陽イオンの濃度を高くした状態で、分析をすることができる。例えば、血液中のタンパク質は、構成要素であるアミノ酸が各々ｐＨにより荷電状態が異なり、荷電状態の差を利用して電気泳動法により分画可能である（文献：”最新電気泳動実験法”日本電気泳動学会編、医歯薬出版株式会社、２００３年発行）。本実施の形態によれば、これらタンパク質の分析が可能となる。
また例えば、試料溶液中に、測定対象物質に対する妨害物質が高濃度に存在している場合、妨害物質がイオンの状態で存在していれば、シリコン細線コア１０５より遠ざかるように電圧を印加させることで、妨害物質による影響を低減することができる。
【００４０】
このように、シリコン細線コア１０５の近辺における分析対象物質の濃度を高くすることができるので、図１に示す光導波路型センサによれば、検出感度を向上させることができる。また、本実施の形態では、シリコン細線コア１０５及び周囲電極１１３の表面に酸化膜を形成することで親水性としてあるため、これらの表面に接触する試料となる溶液は、対流などの動きが束縛されるようになり、電気泳動による分離がより容易となる。
【００４１】
なお、上述では、シリコン細線コア１０５としたが、化合物半導体であるＧａＮなど他の半導体から、検出領域のコアを形成するようにしてもよい。また、上述では、周囲電極１１３を、シリコン細線コア１０５と同一の半導体であるシリコンから構成するようにしたが、これに限るものではない。例えば、周囲電極１１３を、白金などの耐腐食性のある金属材料から構成するようにしてもよい。周囲電極１１３に金属材料を用いることで、より低い電圧で、上述した電気泳動現象を誘起できるようになる。ただし、周囲電極１１３をシリコン細線コア１０５と同一の半導体より構成することで、本光導波路型センサの製造が、異なる材料を用いる場合に比較してより容易になる。
【００４２】
また、図１では、電位均一化配線１０６とコア電圧印加部１２１とにより、シリコン細線コア１０５に電位を印加する構成としたが、これに限るものではない。電位印加手段により印加する電位が、シリコン細線コア１０５以外で試料となる溶液に印加されなければ、他の構成とした電位印加手段により、シリコン細線コア１０５に電位を印加する構成としてもよい。例えば、下部クラッド層となる埋め込み酸化層１１２の側より、シリコン細線コア１０５に接続する配線を設けることで、シリコン細線コア１０５に電位を印加する構成としてもよい。
【図面の簡単な説明】
【００４３】
【図１】本発明の実施の形態における光導波路型センサの構成例を示す平面図である。
【図２】実施の形態における光導波路型センサの一部構成例を示す断面図である。
【図３】実施の形態における光導波路型センサの一部構成例を示す断面図である。
【図４】実施の形態における光導波路型センサの一部構成例を示す断面図である。
【図５】実施の形態における光導波路型センサの一部構成例を示す断面図である。
【図６】実施の形態における光導波路型センサの一部構成例を示す断面図である。
【図７】実施の形態における光導波路型センサの一部構成例を示す断面図である。
【図８】実施の形態における光導波路型センサの一部構成例を示す断面図である。
【図９】実施の形態における光導波路型センサの製造過程を示す平面図である。
【図１０】実施の形態における光導波路型センサの製造過程を示す平面図である。
【図１１】実施の形態における光導波路型センサの製造過程を示す平面図である。
【図１２】実施の形態における光導波路型センサを用いた分析過程を説明するための説明図である。
【符号の説明】
【００４４】
１０１，１０２…溝、１０３，１０４…スポットサイズ変換コア、１０５…シリコン細線コア、１０６…電位均一化配線、１０７…上部クラッド層、１０８…端子、１１１…基板部、１１２…埋め込み酸化層、１１３…周囲電極、１１３ａ…金属層、１１４…端子、１２１…コア電圧印加部、２００，３００…光ファイバー、２０１，３０１…光ファイバーコア。
【図１】
2005077315.tif 000003
【図２】
2005077315.tif 000004
【図３】
2005077315.tif 000005
【図４】
2005077315.tif 000006
【図５】
2005077315.tif 000007
【図６】
2005077315.tif 000008
【図７】
2005077315.tif 000009
【図８】
2005077315.tif 000010
【図９】
2005077315.tif 000011
【図１０】
2005077315.tif 000012
【図１１】
2005077315.tif 000013
【図１２】
2005077315.tif 000014